(57)【特許請求の範囲】
【請求項１】
ケーブル接続部を備えたクロージャＡ，Ｂを電柱Ｃに組み付けるクロージャ装置において、ケーブル導入孔１１のあるケーブル引き込みパイプ１をフレキシブルチューブ２を介してスライドベース３に設け、該スライドベース３に操作フックＥを係止させる差し込みガイド１３を備え、このスライドベース３を、電柱取付け部材４のあるガイドレール５に昇降自在に嵌装すると共に、該ガイドレール５の上端にストッパ解除爪１４と外れ防止具１５を備え、下端に嵌挿孔１６と、該嵌挿孔１６に挿入できるストッパピン１７とからなるストッパ機構を備え、さらに前記スライドベース３をワイヤロープ６を介してガイドパイプ７中に移動自在に挿入したウエイト８に連結吊垂し、かつ電柱上部に取り付けられ前記ワイヤロープ６を掛装するシーブ９を備え、前記ケーブル引き込みパイプ１及びフレキシブルチューブ２から引き込まれるケーブルＤの支持線を係止固定する引留め金具１０と、この引留め金具１０に近設したクロージャＡ，Ｂとを前記スライドベース３に備えたことを特徴とするクロージャ装置。
【請求項２】
前記ウエイト８が、前記スライドベース３に配備された各構成部材の総重量より大きい重量からなり、該スライドベース３を常時上方向に付勢されるように電柱Ｃに対して上下方向に吊垂配備したことを特徴とする請求項１記載のクロージャ装置。
【発明の詳細な説明】
【０００１】
【発明の属する技術分野】
本発明は、光ケーブルなどの通信ケーブルの接続部を保護するためのクロージャ、特に光ケーブル用クロージャを電柱に設置配備するためのクロージャ装置の改良に関するものである。
【０００２】
【従来の技術】
一般に、電気通信用分野において引き込み光ケーブルや電力線を、引込、接続分岐配線を行う接続部では、架空クロージャなどを用いケーブルが成端され、一本のケーブルが他の一本のまたはそれ以上のケーブルに接続され、個々の電話加入者へのドロップワイヤ（引き込み線）が接続される。
幾つかの架空クロージャは、屋外線引き込みでは、第三者が簡単に触れることが出来ないようにするためケーブルは電柱を用いてクロージャを高所取付けによって地上高所作業によるケーブル引き込みが必要である。
【０００３】
【発明が解決しようとする課題】
従来のケーブルの接続部を保護する収容体の架空クロージャでは、電柱の取付部材に備えたり、電柱に配線した架空ケーブルに備えて用いられるため、地上高所作業によるケーブル引き込みが必要で、しかも保守、修理または取り外しなどの各作業も地上高所作業となって、装置類の取付けおよび配線接続の作業が容易でなく作業性が悪く、各種作業の疲労度が大きいばかりか安全性にも問題があって、取扱い煩雑となる傾向があり管理や組立作業性の面でもいろいろ問題があった。
本発明は、これら従来の欠点を排除しようとするもので、ケーブル接続用クロージャなどを電柱に安全に組み込んで用い、地上での安全作業と作業疲労度の軽減化とを実現できると共に、地上付近でのケーブル引き込み及び手元接続配線作業を容易に可能にして作業効率を向上し、各装置類の接続保守が安全なクロージャ装置を構成簡単で安価な形態で提供しようとすることを目的とするものである。
【０００４】
【課題を解決するための手段】
本発明は、ケーブル接続部を備えたクロージャを電柱に組み付けるクロージャ装置において、ケーブル導入孔のあるケーブル引き込みパイプをフレキシブルチューブを介してスライドベースに設け、該スライドベースに操作フックを係止させる差し込みガイドを備え、このスライドベースを、電柱取付け部材のあるガイドレールに昇降自在に嵌装すると共に、該ガイドレールの上端にストッパ解除爪と外れ防止具を備え、下端に嵌挿孔と、該嵌挿孔に挿入できるストッパピンとからなるストッパ機構を備え、さらに前記スライドベースをワイヤロープを介してガイドパイプ中に移動自在に挿入したウエイトに連結吊垂し、かつ電柱上部に取り付けられ前記ワイヤロープを掛装するシーブを備え、前記ケーブル引き込みパイプ１及びフレキシブルチューブから引き込まれるケーブルの支持線を係止固定する引留め金具と、この引留め金具に近設したクロージャとを前記スライドベース３に備えたことで、地上付近でのケーブル引き込み及び手元接続配線作業を容易に可能にして作業効率を向上したものである。
【０００５】
また、本発明では、前記クロージャ装置が、電柱に対し簡便に組み込まれケーブル導入用のラッパ管のあるケーブル引き込みパイプを電柱に沿って吊垂配備したことでケーブルの安全保護と、電柱に沿って昇降動されて適正位置に固定保持され、配線工事、保守工事の安全な地上作業の簡便化と作業効率の向上を図ることにある。
【０００６】
【発明の実施の形態】
本発明の実施態様では、電柱に取り付けたケーブル導入孔から屋外線を３６０度方向から引き込みを行ない、ケーブル引き込みパイプおよびフレキシブルチューブを経てスライドベースに設けたクロージャのケーブル接続部に分岐接続してある。そしてこのスライドベースを電柱取付け部材のあるガイドレールに昇降自在に嵌装すると共に、ワイヤロープを介してガイドパイプ中に移動自在に挿入したウエイトに連結吊垂して、かつ電柱上部に取り付けられたシーブに前記ワイヤロープを掛装してあるので、クロージャは電柱の上方に常に引き上げられて位置し、保守配線作業の際に操作フックで前記スライドベースの差し込みガイドを引っかけ軽快に引き下ろしてワンタッチストッパ機構で停止保持し、スライドベースにあるＡＯクロージャ、π−ＯＮＵクロージャに地上付近でのケーブル引き込み及び手元接続配線作業を容易に可能にして作業効率を向上する。即ち、前記ケーブル接続部のＡＯクロージャ、π−ＯＮＵクロージャなどのクロージャを地上付近の開口部の作業し易い位置に動かして、障害物のない地上での手元接続並びにその他の配線作業や装置類の取付け作業を効率良く行うことができ、心線確認作業も容易化ができる。
さらに配線作業終了後に、前記スライドベースのストッパを外せばウエイトが自重で降下しスライドベースを電柱に沿って上方に移動して、元に戻せば前記ケーブル接続部が高所に引き上げられ、第三者が触れることなく安全に保護され、ケーブル類もすべて電柱に配線され、最少工具によるノンスキル施工ができ、しかも伝送特性に悪影響がなく信頼性ある安全な一人作業ができる。
【０００７】
【実施例】
本発明を図１乃至図５に示されたケーブル接続部を備えたクロージャ装置弐付いて説明すると、ケーブル接続部を備えたクロージャＡ，Ｂを電柱Ｃに組み付けるクロージャ装置において、ケーブル導入孔１１のあるケーブル引き込みパイプ１をフレキシブルチューブ２を介してスライドベース３に設け、該スライドベース３を電柱取付け部材４例えば取付けバンドのあるガイドレール５に昇降自在に嵌装すると共に、ワイヤロープ６を介してガイドパイプ７中に移動自在に挿入したウエイト８に連結吊垂し、かつ電柱上部に取り付けられ前記ワイヤロープ６を掛装するシーブ９を備え、前記ケーブル引き込みパイプ１及びフレキシブルチューブ２から引き込まれるケーブルＤの支持線を係止固定する引留め金具１０と、この引留め金具１０に近設したクロージャＡ，Ｂとを前記スライドベース３に備えたクロージャ装置としてある。
【０００８】
前記ケーブル引き込みパイプ１には、その先端にケーブル導入用ラッパ管１１を持ち、下端にフレキシブルチューブ２を接続連結し、所定間隔に電柱取付けバンド１２を備えたものであって、電柱上部に軸方向に沿って固定配備される。
この場合、前記ケーブル導入用ラッパ管１１は、上面に鳥害防止並びに降雨侵入防止用のカバー部材２１を付設するのがよい。
また、前記スライドベース３としては、板上材を用い前記ガイドレール５に摺動するスライド駒（図示せず）と、操作フックＥを係止される差し込みガイド１３を備え、ＡＯクロージャＢとπ−ＯＮＵクロージャＡとを固着して、保守配線作業の際に操作フックＥで前記スライドベース３を引っかけ引き下ろしてワンタッチストッパ機構で停止保持し、スライドベース３にあるＡＯクロージャ、π−ＯＮＵクロージャに地上付近でのケーブル引き込み及び手元接続配線作業を容易に可能にするようにしてある。特にこのスライドベース３は、ワンタッチストッパ機構の安全装置付きで差し込みガイド１３に操作フックＥを差し込むとストッパが容易に解除されるようにするのがよい。
【０００９】
前記ガイドレール５は、断面Ｃ型レールであって、固定レールに差し込みレールのガイドを接続する差し込みガイド方式として、該差し込みガイド上端にストッパ解除爪１４と外れ防止具１５とを備え、下端に嵌装孔１６に挿入できるストッパピン１７とからなるストッパ機構を備えていて、電柱取付け部材例えばバックル付き取付けバンド１８によって電柱Ｃに固定される。
即ち作業性を考慮して、差し込みガイド上端にストッパ解除爪１４と外れ防止具１５とを備えると共に、下端に嵌装孔１６に挿入できるストッパピン１７とからなるストッパ機構を備えた差し込みガイドレール５として電柱取付用のワンタッチ着脱可能なバックル付きバンド１８で電柱Ｃに装着してある。
【００１０】
前記ウエイト８は、ガイドパイプ７中に移動自在に挿入した円柱体からなり、中心孔に前記ワイヤロープ６を挿通して複数選択して備え、前記スライドベース３に配備された各構成部材の総重量より大きい重量として、該スライドベース３を常時上方向に付勢されるように電柱Ｃに対して上下方向に吊垂配備することが配慮されていて、スライド力の軽減で女性でも操作できるようにしてある。
即ち、ケーブル接続部のクロージャＡ，Ｂへの配線作業終了後に、前記スライドベース３のストッパ機構の嵌装孔１６に挿入できるストッパピン１７を抜き取って外せば、前記ウエイト８が自重でガイドパイプ７中に沿って降下し、強度と耐蝕性に優れたステンレス製のワイヤロープ６を介してスライドベース３を電柱Ｃに沿って上方に移動して、元に戻すことができ、クロージャＡ，Ｂが高所に引き上げられ、第三者が触れることなく安全に保護されるようになっていて、且つ都市景観に調和した電柱Ｃとして使用できるものである。
【００１１】
なお、屋外線Ｄを前記ケーブル導入用で鳥害防止構造のラッパ管１１を経てケーブル引き込みパイプ１のケーブルと導入孔１に引き込むには、３６０度方向から曲率（約３０度以上）を確保して屋外線を引き込むように、湾曲面を持った開口のあるものを用い、特性に支障がないようにしたもので、さらにガイドレール５に摺動嵌挿されるスライドベース３は、必要に応じ外周を覆う防護カバー（図示せず）を開閉自在に配備することもできる。
なお、この移動するスライドベース３はワンタッチストッパ機構（図示せず）例えば、凸没自在の突起とこれに嵌合する孔との係止構造によって安全なスライド固定ができ、各装置類の接続保守が容易にできるようにしてもよく、常設時（上部位置）や作業引下げ時（下部位置）での確実な固定保持を確保できるようにしてある。
【００１２】
前記クロージャ装置としては、ＡＯクロージャＡとπ−ＯＮＵクロージャＢとからなり、π−ＯＮＵクロージャＢが、前記スライドベース３に取り付けられ電柱Ｃに対して上下方向に移動されて、障害物のない地上での手元接続並びにその他の配線作業や装置類の取付け作業を効率良く行うことができ、心線確認作業も容易化ができるようになっている。
【００１３】
前記スライドベース３の移動操作で、電柱上のクロージャ装置の安全性を高められるし、前記ケーブル接続部が第三者が触れることなく安全に保護され、ケーブル類もすべて電柱に固定的に配線され、最少工具によるノンスキル施工ができ、しかも伝送特性に悪影響がなく信頼性ある安全な配線作業ができる。
なお、前記クロージャＡ，Ｂは、いずれにしても電柱Ｃに組み込みも簡便であり、作業時に十分な作業スペースが確保でき、無理のない姿勢で作業できる形態のものを採用することが考慮される。
【００１４】
さらに前記ＡＯクロージャＡとπ−ＯＮＵクロージャＢの心線ケースとしては、開閉蓋（図示せず）の開放で内部にセットされる複数の接続用のコネクタ保持部と、該コネクタ保持部に収納されたコネクタから導出されるケーブル心線余長を引き廻し、即ちループ状に巻回させて保持する心線余長収納部とを区画して備えた略長方形体を用い、所定間隔に配列されるケーブル押え片で伝送特性に悪影響が及ばないように心線がなめらかに湾曲したループ状に巻回保持できるように配慮してある。
【００１５】
なお、前記ウエイト８の収納用ガイドパイプ７は、下端にシヨックアブソーバ機構（図示せず）を装着して安全性を高めてある。例えば、不慮の事故等によるウエイトの外れが生じた場合でもガイドパイプ７内で保護され外部に脱落する虞れが
く、シヨックアブソーバ機構があれば衝撃吸収に役立ち安全性が高い。
そしてこのガイドパイプ７の引き上げには、前記シーブ９を使い、一人作業で地上からロープで引き上げ容易に固定可能の構成とするのがよい。
さらにウエイト引き上げは、ガイドパイプ７の中へワイヤロープ６を通しシーブ９を介して引き上げ、スライドベース５と連結後にガイドパイプ７のストッパを取付け安全に一人作業で組み込むことができる。
また、前記ラッパ管１１は、カバー部材２１ガ隙間を置いて設けられて、降雨浸入並びに鳥害防止構造としてあり、屋外線を所定の曲率を確保して３６０度から引き込める用に配慮してある。
【００１６】
また、前記フレキシブルチューブ２の使用でケーブルは、昇降動に柔軟に追随でき、自由度のある中間余長の保護が確実にできるし、スライドベース３の装置類のレイアウトも良好で、容易な配線作業を実現化できる。
【００１７】
【発明の効果】
本発明は、ケーブル接続部を備えたクロージャを電柱に組み付けるクロージャ装置において、ケーブル導入孔のあるケーブル引き込みパイプをフレキシブルチューブを介してスライドベースに設け、該スライドベースに操作フックを係止させる差し込みガイドを備え、このスライドベースを、電柱取付け部材のあるガイドレールに昇降自在に嵌装すると共に、該ガイドレールの上端にストッパ解除爪と外れ防止具を備え、下端に嵌挿孔と、該嵌挿孔に挿入できるストッパピンとからなるストッパ機構を備え、さらに前記スライドベースをワイヤロープを介してガイドパイプ中に移動自在に挿入したウエイトに連結吊垂し、かつ電柱上部に取り付けられ前記ワイヤロープを掛装するシーブを備え、前記ケーブル引き込みパイプ１及びフレキシブルチューブから引き込まれるケーブルの支持線を係止固定する引留め金具と、この引留め金具に近設したクロージャとを前記スライドベース３に備えたことにより、地上付近でのケーブル引き込み及び手元接続配線作業を容易に可能にして作業効率を向上し、しかも心線の接続作業や接続状況の確認を地上付近で容易に行うことができるし、ケーブル接続用クロージャなどを電柱に安全に組み込んで用いられ、クロージャ装置の保護を図って、且つ都市景観に調和した電柱のスリム化が可能であり、外観環境をも大幅に向上させ、地上での安全作業によって作業疲労度の軽減化を実現できると共に、作業効率を向上し、各装置類の接続保守や、収納用品により接続部の増設も容易に可能となるほか、専用工具不要でノンスキル作業が可能となるほか、接続作業に伝送特性に影響を与えない配線整理ができ、整理保管も信頼性高く確保できると共に、ケーブル接続用クロージャ装置を電柱上に移動して障害物のない場所での配線作業によりケーブル接続部の被覆収容作業を著しく迅速に行うことができ、取扱い良好で作業効率の向上に役立って、接続固定も楽に安全に行える構成簡単で安価な形態のクロージャ装置とすることができる。
【図面の簡単な説明】
【図１】  本発明の実施例を示し、（ａ）はその使用状態の斜視図、（ｂ）はその側面図である。
【図２】  図１の例を示すクロージャ装置の一部の詳細で、（ａ）は取付け状態の側面図、（ｂ）はその拡大斜視図である。
【図３】  図２の例のスライドベースの拡正面図である。
【図４】  本発明例で用いられるガイドレールの拡大斜視図である。
【図５】  本発明例で用いられるケーブル引き込みパイプの拡大縦断面図である。
【符号の説明】
Ａ，Ｂ  クロージャ
Ｃ  電柱
Ｄ  ケーブル
１  ケーブル引き込みパイプ
１１ケーブル導入孔
２  フレキシブルチューブ
３  スライドベース
４  電柱取付け部材
５  ガイドレール
６  ワイヤロープ
７  ガイドパイプ
８  ウエイト
９  シーブ
１０  引留め金具
１１  ラッパ管
１２  取付けバンド
１３  差し込みガイド
１４  ストッパ解除爪
１５  外れ防止具
１６  嵌挿孔
１７  ストッパピン
１８  取付けバンド
【図１】
0003946829.tif 000002
【図２】
0003946829.tif 000003
【図３】
0003946829.tif 000004
【図４】
0003946829.tif 000005
【図５】
0003946829.tif 000006